(57)【特許請求の範囲】
【請求項１】
ローターケースと該ローターケースに固定されたマグネットとを有するローター部と、
該ローター部のマグネットに対向して配置された複数のステーターコイルを有するステーター部と、
ローター部と一体となって回転されるモーター軸と、
鉄系の焼結材料によって形成されモーター軸に固定されるヨークと、
該ヨークが結合されてディスクテーブルを構成すると共に樹脂材料によって形成され中心に位置する円筒部と該円筒部から張り出されディスク状記録媒体が載置されるテーブル部とを有するテーブル本体とを備え、
上記ヨークには周方向に離間して放射方向へ突出されると共にディスク状記録媒体の内周縁に接して該ディスク状記録媒体を保持する複数の固定保持部が設けられ、
上記テーブル本体には周方向に離間して放射方向へ突出されヨークの固定保持部間にそれぞれ配置されると共にディスク状記録媒体の内周縁に弾接されて該ディスク状記録媒体を保持する複数の弾性保持部が設けられた
ことを特徴とするモーターユニット。
【請求項２】
ディスク状記録媒体が装着されて回転されるディスクテーブルと、該ディスクテーブルとともにディスク状記録媒体を挟持してチャッキングするチャッキングプーリーと、チャッキングされたディスク状記録媒体の半径方向へ移動し該ディスク状記録媒体に対してレーザー光を照射する光学ピックアップと、ディスクテーブルを回転させる駆動モーターとを備えたディスクドライブ装置であって、
上記駆動モータは、ローターケースと該ローターケースに固定されたマグネットとを有するローター部と、該ローター部のマグネットに対向して配置された複数のステーターコイルを有するステーター部と、ローター部と一体となって回転されるモーター軸とを備え、
上記ディスクテーブルは、鉄系の焼結材料によって形成されモーター軸に固定されるヨークと、該ヨークが結合されると共に樹脂材料によって形成され中心に位置する円筒部と該円筒部から張り出されディスク状記録媒体が載置されるテーブル部とを有するテーブル本体とを備え、
上記ヨークには周方向に離間して放射方向へ突出されると共にディスク状記録媒体の内周縁に接して該ディスク状記録媒体を保持する複数の固定保持部が設けられ、
上記テーブル本体には周方向に離間して放射方向へ突出されヨークの固定保持部間にそれぞれ配置されると共にディスク状記録媒体の内周縁に弾接されて該ディスク状記録媒体を保持する複数の弾性保持部が設けられた
ことを特徴とするディスクドライブ装置。
【発明の詳細な説明】
【０００１】
【発明の属する技術分野】
本発明はモーターユニット及びディスクドライブ装置についての技術分野に関する。詳しくは、駆動モーターと該駆動モーターによって回転されるディスクテーブルとを有するモーターユニット及び該モーターユニットを備えたディスクドライブ装置についての技術分野に関する。
【０００２】
【従来の技術】
ディスク状記録媒体に対して情報信号の記録や再生を行うディスクドライブ装置があり、このようなディスクドライブ装置には、駆動モーターと該駆動モーターによって回転されるディスクテーブルとを有するモーターユニットを備えるものがある。
【０００３】
従来のディスクドライブ装置におけるモーターユニットの一部を図１３及び図１４に示す。
【０００４】
駆動モーターの図示しないステーター部にはモーター軸ａが回転自在に支持され、該モーター軸ａの軸方向における略中央部にローターケースｂが圧入によって固定されている。ローターケースｂは板状の金属材料が加工されて形成され、略円板状を為す基部ｃと該基部ｃの外周縁から垂設されたマグネット取付部ｄと基部ｃの中心部から上方へ突出された円筒状を為す被固定部ｅとが一体に形成されて成る。マグネット取付部ｄの内面には、ステーター部のステーターコイルに対向して位置されるマグネットｆが取り付けられている。
【０００５】
ローターケースｂとマグネットｆを有するローター部は、ローターケースｂの被固定部ｅにモーター軸ａが圧入されることによって該モーター軸ａに固定されている。
【０００６】
ディスクテーブルｇはモーター軸ａの上端側に固定されている。ディスクテーブルｇは、中央部に設けられディスク状記録媒体ｘの中心孔ｙに挿通されるセンターリング突部ｈと該センターリング突部ｈの下端部周面から張り出されディスク状記録媒体ｘが載置されるテーブル部ｉとが樹脂材料によって一体に形成されて成る。
【０００７】
センターリング突部ｈの中心部には、上方に開口されたヨーク配置凹部ｊが形成されている。センターリング突部ｈの中心部には、モーター軸ａが圧入により挿入される圧入孔ｋが形成されている。
【０００８】
センターリング突部ｈの周縁部には、周方向に等間隔に離間して弾性保持部ｌ、ｌ、・・・が設けられている。弾性保持部ｌ、ｌ、・・・はディスクテーブルｇの半径方向へ弾性変位可能とされている。
【０００９】
センターリング突部ｈのうち弾性保持部ｌ、ｌ、・・・間の部分が固定保持部ｍ、ｍ、・・・として設けられている。ディスクテーブルｇの回転中心から弾性保持部ｌ、ｌ、・・・の外端までの距離は、ディスクテーブルｇの回転中心から固定保持部ｍ、ｍ、・・・の外端までの距離より僅かに大きくされている。
【００１０】
ディスクテーブルｇは、圧入孔ｋにモーター軸ａが圧入されることによって該モーター軸ａに固定されている。
【００１１】
ディスクテーブルｇのヨーク配置凹部ｊにはヨークｎが配置され、該ヨークｎはディスクテーブルｇの圧入孔ｋから上方へ突出されたモーター軸ａに圧入によって固定されている。
【００１２】
ディスク状記録媒体ｘは、その中心孔ｙにセンターリング突部ｈが挿入され、この状態でマグネットを有する図示しないチャッキングプーリーがディスク状記録媒体ｘを挟んでディスクテーブルｇの反対側から装着されることによりチャッキングされる。ディスク状記録媒体ｘがチャッキングされた状態においては、弾性保持部ｌ、ｌ、・・・がディスク状記録媒体ｘの内周縁に弾接され該ディスク状記録媒体ｘの内周縁がバランス良く押さえられている。また、ディスク状記録媒体ｘが偏心した状態でディスクテーブルｇに装着されたときには、固定保持部ｍ、ｍ、・・・がディスク状記録媒体ｘの内周縁に当接される。従って、固定保持部ｍ、ｍ、・・・によってディスク状記録媒体ｘが必要以上に偏心した状態でディスクテーブルｇに装着されないようになっている。
【００１３】
ディスク状記録媒体ｘがチャッキングされた状態においては、チャッキングプーリーのマグネットによってヨークｎが引き寄せられており、ディスク状記録媒体ｘはディスクテーブルｇの回転に伴ってチャッキングプーリーと一体となって回転される。
【００１４】
【発明が解決しようとする課題】
ところが、樹脂材料によって形成されたディスクテーブルｇは、異なる形状を有する弾性保持部ｌ、ｌ、・・・と固定保持部ｍ、ｍ、・・・とが周方向に交互に設けられており、成形時に収縮してしまい、弾性保持部ｌ、ｌ、・・・と固定保持部ｍ、ｍ、・・・の双方について高精度な成形を行うことが極めて困難であるという問題がある。
【００１５】
成形の精度が低い場合には、ディスクテーブルｇに装着されたディスク状記録媒体ｘが必要以上に偏心したり回転中に大きな面ぶれが発生してしまい、情報信号の適正な記録や再生を行うことができなくなる。
【００１６】
また、樹脂材料は線膨張係数が大きいため、高温時にセンターリング突部ｈの外径が大きくなる。従って、常温においては、高温時の膨張を考慮して外径を小さくしておく必要がありディスク状記録媒体ｘのセンターリングの精度が低下し易いという問題もある。
【００１７】
そこで、本発明モーターユニット及びディスクドライブ装置は、上記した問題点を克服し、ディスクテーブルの良好な成形精度を確保してモーターユニット及びディスクドライブ装置の動作の信頼性の向上を図ることを課題とする。
【００１８】
【課題を解決するための手段】
本発明モーターユニットは、上記した課題を解決するために、ローターケースと該ローターケースに固定されたマグネットとを有するローター部と、該ローター部のマグネットに対向して配置された複数のステーターコイルを有するステーター部と、ローター部と一体となって回転されるモーター軸と、鉄系の焼結材料によって形成されモーター軸に固定されるヨークと、該ヨークが結合されてディスクテーブルを構成すると共に樹脂材料によって形成され中心に位置する円筒部と該円筒部から張り出されディスク状記録媒体が載置されるテーブル部とを有するテーブル本体とを設け、上記ヨークに周方向に離間して放射方向へ突出されると共にディスク状記録媒体の内周縁に接して該ディスク状記録媒体を保持する複数の固定保持部を設け、上記テーブル本体に周方向に離間して放射方向へ突出されヨークの固定保持部間にそれぞれ配置されると共にディスク状記録媒体の内周縁に弾接されて該ディスク状記録媒体を保持する複数の弾性保持部を設けたものである。
【００１９】
また、本発明ディスクドライブ装置は、上記した課題を解決するために、駆動モータに、ローターケースと該ローターケースに固定されたマグネットとを有するローター部と、該ローター部のマグネットに対向して配置された複数のステーターコイルを有するステーター部と、ローター部と一体となって回転されるモーター軸とを設け、ディスクテーブルに、鉄系の焼結材料によって形成されモーター軸に固定されるヨークと、該ヨークが結合されると共に樹脂材料によって形成され中心に位置する円筒部と該円筒部から張り出されディスク状記録媒体が載置されるテーブル部とを有するテーブル本体とを設け、上記ヨークに周方向に離間して放射方向へ突出されると共にディスク状記録媒体の内周縁に接して該ディスク状記録媒体を保持する複数の固定保持部を設け、上記テーブル本体に周方向に離間して放射方向へ突出されヨークの固定保持部間にそれぞれ配置されると共にディスク状記録媒体の内周縁に弾接されて該ディスク状記録媒体を保持する複数の弾性保持部を設けたものである。
【００２０】
従って、本発明モーターユニット及びディスクドライブ装置にあっては、ディスク状記録媒体を保持するためのディスクテーブルの一部が鉄系の焼結材料によって形成される。
【００２１】
【発明の実施の形態】
以下に、本発明モーターユニット及びディスクドライブ装置の実施の形態を添付図面を参照して説明する。
【００２２】
ディスクドライブ装置１は、外筐２内に所要の各部材及び各機構が配置されて成り、外筐２はカバー体３と前面パネル４とから成る（図１参照）。カバー体３は天面部３ａと該天面部３ａの両側縁からそれぞれ垂設された側面部３ｂ、３ｂとが一体に形成されて成る。
【００２３】
前面パネル４には横長の開口４ａが形成され、前面パネル４に開口４ａを開閉する扉体５がその上端部を支点として回動自在に支持されている（図１参照）。前面パネル４には、左右に離間して再生用釦、記録用釦、停止用釦、トレー動作用釦等の各種の操作釦６、６、・・・が配置されている。
【００２４】
外筐２内にはメカフレーム７が配置されている（図２参照）。メカフレーム７は各種の機構が配置される機構配置面部７ａと該機構配置面部７ａの両側縁から立設された側部７ｂ、７ｂとを有し、機構配置面部７ａの前端部にカム板や各種のギヤを有するローディング機構８が配置されている。
【００２５】
メカフレーム７にはディスクトレー９が前後方向へ移動自在に支持されている（図２及び図３参照）。ディスクトレー９には縦長の挿通孔９ａとディスク状記録媒体１００が載置されるディスク載置凹部９ｂとが形成されている。
【００２６】
メカフレーム７には側部７ｂ、７ｂ間に架け渡されるようにしてプーリー支持部材１０が取り付けられている（図３参照）。プーリー支持部材１０の中央部には、図示しないマグネットを有するチャッキングプーリー１１が回転自在かつ軸方向に移動自在に支持されている。
【００２７】
メカフレーム７の機構配置面部７ａには、ベース部材１２がその後端部を支点として回動自在に支持されており、該ベース部材１２上に図示しない複数のダンパー部材を介してベースシャーシ１３が取り付けられている（図２参照）。
【００２８】
ベースシャーシ１３はピックアップ支持部１４とモーター取付部１５とが一体に形成されて成り、ピックアップ支持部１４には大きな配置孔１４ａが形成されている（図４参照）。ベースシャーシ１３の周縁には取付突部１３ａ、１３ａ、１３ａが設けられており、該取付突部１３ａ、１３ａ、１３ａがダンパー部材を介してベース部材１２に取り付けられている。
【００２９】
ピックアップ支持部１４には、後述するディスクテーブルに離接する方向、即ち、ディスクテーブルに装着されるディスク状記録媒体１００の半径方向へ光学ピックアップ１６が移動自在に支持されている。光学ピックアップ１６は、移動ベース１７と発光素子や受光素子等を含む所要の光学素子と移動ベース１７上に支持された２軸アクチュエーター１８とを有し、該２軸アクチュエーター１８には対物レンズ１８ａが設けられている。
【００３０】
ベースシャーシ１３には送りモーター１９が取り付けられ、該送りモーター１９によってベースシャーシ１３に支持された図示しないリードスクリューが回転される。光学ピックアップ１６は、移動ベース１７に取り付けられた図示しないナット部材がリードスクリューに螺合されると共に移動ベース１７の他端部がベースシャーシ１３に取り付けられた図示しないガイド軸に摺動自在に支持されている。送りモーター１９の駆動によってリードスクリューが回転されると、その回転方向に応じた方向へ光学ピックアップ１６がガイド軸に案内されて移動される。
【００３１】
モーターユニット２０は、駆動モーター２１と該駆動モーター２１に固定されたディスクテーブル２２とを有している（図４及び図５参照）。
【００３２】
駆動モーター２１はステーター部２３と該ステーター部２３に対して回転されるローター部２４と該ローター部２４と一体となって回転される金属材料により形成されたモーター軸２５とから成る（図５参照）。
【００３３】
ステーター部２３は、ベース２６に取り付けられた基板２７とベース２６に取り付けられたハウジング２８と該ハウジング２８に取り付けられたステーターコイル２９、２９、・・・とを有している。
【００３４】
ベース２６の中央部には取付孔２６ａが形成され、ベース２６上に、所定の配線パターンが形成された基板２７が留め具３０、３０、・・・によって取り付けられている。
【００３５】
基板２７の中央部には、ベース２６の取付孔２６ａより一回り大きな挿入孔２７ａが形成され、基板２７上に、検出素子３１、３１、・・・が周方向に離間して搭載されている。
【００３６】
ハウジング２８は軸方向に長い略円筒状を為し、下端寄りの位置に被取付部２８ａが外方へ突出されて設けられている。ハウジング２８は基板２７の挿入孔２７ａに挿入された状態で被取付部２８ａがベース２６の取付孔２６ａに取り付けられている。
【００３７】
ハウジング２８の下端部にはスラスト受け３２と押さえ板３３とが上下に積層された状態で内嵌状に固定されている。
【００３８】
ハウジング２８の内部には、軸方向に長いメタル軸受３４が固定され、該メタル軸受３４にモーター軸２５が回転自在に支持されている。このようにモーター軸２５が支持された状態においては、その下面がスラスト受け３２によって受けられる。
【００３９】
ステーターコイル２９、２９、・・・は、それぞれその内部に配置された鉄芯３５、３５、・・・を囲むようにして巻回されており、ハウジング２８の外面に周方向に等間隔に取り付けられている。
【００４０】
ローター部２４は、ローターケース３６と該ローターケース３６に取り付けられたマグネット３７とから成る。
【００４１】
ローターケース３６は、板状の金属材料が加工されることにより形成され、略円板状を為す基部３６ａと該基部３６ａの外周縁から垂設されたマグネット取付部３６ｂと基部３６ａの中心部から上方へ突出された円筒状を為す被固定部３６ｃとが一体に形成されて成る。マグネット取付部３６ｂの内面には、マグネット３７が取り付けられている。
【００４２】
ローターケース３６は、被固定部３６ｃにモーター軸２５が圧入されることにより該モーター軸２５に固定されている。ローターケース３６がモーター軸２５に固定された状態においては、モーター軸２５の上端部が被固定部３６ｃから突出され、マグネット３７がステーターコイル２９、２９、・・・に対向して配置されると共にマグネット３７が基板２７上に搭載された検出素子３１、３１、・・・の上側に配置される。ローター部２４が回転されるときに、検出素子３１、３１、・・・によってマグネット３７の回転位置が検出される。
【００４３】
ディスクテーブル２２は、テーブル本体３８とヨーク３９とが結合されて成る（図５及び図６参照）。
【００４４】
テーブル本体３８は中心に位置する円筒部４０と該円筒部４０から外方へ張り出されたフランジ状の張出部４１と円筒部４０の外周縁から突出された弾性保持部４２、４２、・・・とが樹脂材料によって一体に形成されて成る（図７及び図８参照）。円筒部４０の中心孔は、圧入孔４０ａとして形成されている。弾性保持部４２、４２、・・・は周方向に等間隔に離間して設けられており、円筒部４０から上方へ突出された基端部４２ａ、４２ａ、・・・と該基端部４２ａ、４２ａ、・・・から外斜め下方へ突出された連結部４２ｂ、４２ｂ、・・・と該連結部４２ｂ、４２ｂ、・・・の外端部から下方へ突出された弾接部４２ｃ、４２ｃ、・・・とから成り、テーブル本体３８の半径方向へ弾性変位可能とされている。
【００４５】
ヨーク３９は、円環状を為す中心部４３と該中心部４３から下方へ突出された軸部４４と中心部４３の外周面から放射方向へ突出された固定保持部４５、４５、・・・とが鉄系の焼結材料によって一体に形成されて成る（図９及び図１０参照）。ヨーク３９の材料としては、例えば、ＦＣＳ―７（平和産業株式会社の商品名）、ＰＦＡ０１、ＰＦＡ０３、ＰＦＡ０６（何れも、ポーライト株式会社の商品名）、ＦＥ６０、ＦＥ６４、ＦＥ６８（何れも、ＮＴＮ特殊合金株式会社の商品名）、ＥＯ（日立粉末冶金株式会社の商品名）が用いられている。これらの各材料によって成形された成形品は、樹脂材料によって成形された成形品と比較して、成形の精度が良好であることが確認されている。
【００４６】
ヨーク３９は、プーリー支持部材１０に支持された上記チャッキングプーリー１１とディスクテーブル２２とによってディスク状記録媒体１００がチャッキングされるときに、チャッキングプーリー１１のマグネットに引き寄せられる。
【００４７】
軸部４４の外径は中心部４３の外径より一回り小さく形成され、中心部４３の中心孔４３ａと軸部４４の中心孔４４ａとが上下で一致されている。固定保持部４５、４５、・・・は中心部４３の周方向に等間隔に離間して設けられている。
【００４８】
ヨーク３９は、軸部４４がテーブル本体３８の圧入孔４０ａに圧入されると共に固定保持部４５、４５、・・・がそれぞれテーブル本体３８の弾性保持部４２、４２、・・・間に挿入されて配置され、このようにテーブル本体３８とヨーク３９とが結合されることによりディスクテーブル２２が構成される（図４乃至図６参照）。
【００４９】
ディスクテーブル２２が構成された状態においては、ディスクテーブル２２の回転中心から弾性保持部４２、４２、・・・の外端までの距離が、ディスクテーブル２２の回転中心から固定保持部４５、４５、・・・の外端までの距離より僅かに大きくされている。
【００５０】
上記のようにディスクテーブル２２が構成されることにより、中央部に設けられディスク状記録媒体１００の中心孔１００ａに挿通されるセンターリング突部４６と該センターリング突部４６の下端部周面から張り出されディスク状記録媒体１００が載置されるテーブル部４７とが形成される。
【００５１】
ディスクテーブル２２は、ヨーク３９の中心孔４３ａ、４４ａにモーター軸２５が圧入されることによって該モーター軸２５に固定される。
【００５２】
テーブル部４７の外周部の上面には、円環状を為すシート４８が貼着されている。
【００５３】
以下に、ディスクドライブ装置１の動作について説明する。
【００５４】
前面パネル４に設けられたトレー動作用釦（操作釦）６が操作されると、ローディング機構８の動作によりディスクトレー９が開口４ａから引き出されディスクトレー９のディスク載置凹部９ｂにディスク状記録媒体１００を載置可能な状態となる。ディスク載置凹部９ｂにディスク状記録媒体１００を載置し、再度、トレー動作用釦６を操作すると、ディスクトレー９が外筐２内に引き込まれる。
【００５５】
次に、例えば、再生用釦（操作釦）６を操作すると、ベースシャーシ１３がベース部材１２の回動動作に伴って回動されてディスクテーブル２２が略上方へ移動され、該ディスクテーブル２２のセンターリング突部４６がディスク状記録媒体１００の中心孔１００ａに挿入される。ベースシャーシ１３の回動により、ディスクテーブル２２と光学ピックアップ１６の２軸アクチュエーター１８はディスクトレー９の挿通孔９ａから稍上方へ突出される。
【００５６】
ディスクテーブル２２が略上方へ移動されていくことによりディスク状記録媒体１００がディスク載置凹部９ｂから稍上方へ離間され、このときチャッキングプーリー１１に設けられたマグネットによってディスクテーブル２２に固定されたヨーク３９が引き寄せられ、ディスク状記録媒体１００がディスクテーブル２２とチャッキングプーリー１１とによって挟持されチャッキングされる。
【００５７】
ディスク状記録媒体１００がチャッキングされた状態においては、テーブル本体３８の弾性保持部４２、４２、・・・の弾接部４２ｃ、４２ｃ、・・・がディスク状記録媒体１００の内周縁に弾接されディスク状記録媒体１００の内周縁がバランス良く押さえられる。また、ディスク状記録媒体１００が偏心した状態でディスクテーブル２２に装着されたときには、ヨーク３９の固定保持部４５、４５、・・・がディスク状記録媒体１００の内周縁に当接される。従って、固定保持部４５、４５、・・・によってディスク状記録媒体１００が必要以上に偏心した状態でディスクテーブル２２に装着されない。
【００５８】
ディスク状記録媒体１００に対するチャッキングが完了すると、駆動モーター２１の駆動によるディスクテーブル２２の回転に伴ってディスク状記録媒体１００がチャッキングプーリー１１と一体となって回転される。同時に、ガイド軸に案内されて光学ピックアップ１６がディスク状記録媒体１００の内周側から外周側へ移動される。このとき光学ピックアップ１６の発光素子からディスク状記録媒体１００へ向けてレーザー光が出射され、出射されたレーザー光が対物レンズ１８ａを介してディスク状記録媒体１００に照射され、照射されたレーザー光がディスク状記録媒体１００で反射されて戻り光として光学ピックアップ１６の受光素子に入射され、図示しない信号処理回路によって信号処理されて情報信号の再生が為される。
【００５９】
停止用釦（操作釦）６が操作されると、駆動モーター２１の回転が停止されると共に光学ピックアップ１６の駆動が停止されて再生動作が終了し、ベース部材１２とともにベースシャーシ１３が先程とは反対方向へ回動されていく。
【００６０】
ベースシャーシ１３の回動によりディスク状記録媒体１００に対するチャッキングが解除されてディスク状記録媒体１００がディスク載置凹部９ｂに載置され、ベースシャーシ１３がディスクトレー９の下方に位置される。
【００６１】
再び、前面パネル４に設けられたトレー動作用釦６が操作されると、ディスクトレー９が開口４ａから引き出され、ディスク載置凹部９ｂに載置されているディスク状記録媒体１００の取出が可能となる。ディスク載置凹部９ｂからディスク状記録媒体１００を取り出し、再度、トレー動作用釦６を操作すると、ディスクトレー９が外筐２内に引き込まれる。
【００６２】
以上に記載した通り、ディスクドライブ装置１にあっては、ディスク状記録媒体１００を保持するための固定保持部４５、４５、・・・をヨーク３９の一部として鉄系の焼結材料によって形成したので、成形の精度が向上する鉄系の焼結材料を用いることにより、ディスクテーブル２２の大幅な成形の精度の向上を図ることができる。従って、ディスクテーブル２２に装着されたディスク状記録媒体１００の偏心及び回転中の面ぶれが防止され、情報信号の適正な記録や再生を行うことができる。
【００６３】
また、弾性保持部４２、４２、・・・がテーブル本体３８に設けられ、固定保持部４５、４５、・・・がヨーク３９に設けられるため、テーブル本体３８の構造が簡素化され、テーブル本体３８を形成するための金型の簡易化を図ることができる。
【００６４】
さらに、鉄系の焼結材料は樹脂材料と比較して線膨張係数が小さいため、高温となったときの膨張の影響が少なく、常温において、ディスクテーブル２２の回転中心から固定保持部４５、４５、・・・の外端までの距離を長くしてセンターリング突部４６の外径を大きく形成することができる。従って、ディスク状記録媒体１００のセンターリングの精度を向上させることができる。
【００６５】
尚、鉄系の焼結材料は表面が酸化して錆が発生する場合もあるため、ヨーク３９については、例えば、表面を無電解ニッケルメッキ処理するか、表面に酸化皮膜を形成するスチーム処理を施すことが望ましい。
【００６６】
また、固定保持部４５、４５、・・・のディスク状記録媒体１００に接する面には、面粗度を向上させてディスク状記録媒体１００の円滑な挿入を確保するために、ニッケルメッキ処理やスチーム処理を施す前にバレル処理を行うようにしてもよい。
【００６７】
図１１は、ヨークにローターケースを固定するケース固定部を設けた例を示すものである。
【００６８】
ディスクテーブル２２Ａは、テーブル本体３８とヨーク４９とが結合されることにより構成される。
【００６９】
ヨーク４９は、その下側半部がテーブル本体３８の圧入孔４０ａに圧入によって固定されている。ヨーク４９はモーター軸２５に圧入によって固定されている。ヨーク４９の下面には、周方向に延びるケース固定部４９ａが一体に設けられ、該ケース固定部４９ａにローターケース５０が、例えば、カシメや接着によって固定されている。
【００７０】
ローターケース５０は上記ローターケース３６と異なり、基部５０ａとマグネット取付部５０ｂとが一体に形成されて成り、被固定部は設けられていない。ローターケース５０は基部５０ａの内周部がヨーク４９に固定されており、基部５０ａの内周部の上面５０ｃの他に側面５０ｄもヨーク４９に接触された状態で固定される。従って、ローターケース５０のヨーク４９に対する固定面の面積が大きくなり、機械的強度を大きくすることができる。
【００７１】
また、ローターケース５０に被固定部を設けない分、ディスクテーブル２２Ａとローターケース５０とが接近して位置され、モーターユニットの薄型化を図ることができる。
【００７２】
図１２は、ディスクテーブル側に、ディスク状記録媒体１００のチャッキング時に用いる吸着用マグネットを設けた例を示すものである。
【００７３】
ディスクテーブル２２Ｂは、テーブル本体３８とヨーク５１とが結合されることにより構成される。
【００７４】
ヨーク５１には上方に開口された取付凹部５１ａが形成され、ヨーク５１の下側半部がテーブル本体３８の圧入孔４０ａに圧入によって固定されている。ヨーク５１はモーター軸２５に圧入によって固定されている。ヨーク５１の取付凹部５１ａには、円筒状を為す吸着用マグネット５２が配置され取り付けられている。吸着用マグネット５２は、モーター軸２５には固定されておらず、ヨーク５１に、例えば、接着によって固定されている。
【００７５】
この場合には、ヨーク５１が吸着用マグネット５２の磁力を増強するための所謂バックヨークとして機能する。
【００７６】
ヨーク５１の下面には、周方向に延びるケース固定部５１ｂが一体に設けられ、該ケース固定部５１ｂにローターケース５０が、例えば、カシメや接着によって固定されている。
【００７７】
吸着用マグネット５２を設ける場合には、チャッキングプーリー１１には、マグネットに代えて磁性金属板を設け、ディスク状記録媒体１００のチャッキング時には、チャッキングプーリー１１の磁性金属板が吸着用マグネット５２によって引き寄せられる。
【００７８】
ディスクテーブル２２Ｂにあっても、ローターケース５０のヨーク５１に対する固定面の面積が大きくなり、機械的強度を大きくすることができる。
【００７９】
また、ローターケース５０に被固定部を設けない分、ディスクテーブル２２Ｂとローターケース５０とが接近して位置され、モーターユニットの薄型化を図ることができる。
【００８０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８１】
【発明の効果】
以上に記載したところから明らかなように、本発明モーターユニットは、ローターケースと該ローターケースに固定されたマグネットとを有するローター部と、該ローター部のマグネットに対向して配置された複数のステーターコイルを有するステーター部と、ローター部と一体となって回転されるモーター軸と、鉄系の焼結材料によって形成されモーター軸に固定されるヨークと、該ヨークが結合されてディスクテーブルを構成すると共に樹脂材料によって形成され中心に位置する円筒部と該円筒部から張り出されディスク状記録媒体が載置されるテーブル部とを有するテーブル本体とを備え、上記ヨークには周方向に離間して放射方向へ突出されると共にディスク状記録媒体の内周縁に接して該ディスク状記録媒体を保持する複数の固定保持部が設けられ、上記テーブル本体には周方向に離間して放射方向へ突出されヨークの固定保持部間にそれぞれ配置されると共にディスク状記録媒体の内周縁に弾接されて該ディスク状記録媒体を保持する複数の弾性保持部が設けられたことを特徴とする。
【００８２】
従って、成形の精度が向上する鉄系の焼結材料を用いることにより、ディスクテーブルの大幅な成形の精度の向上を図ることができ、ディスクテーブルに装着されたディスク状記録媒体の偏心及び回転中の面ぶれが防止され、情報信号の適正な記録や再生を行うことができる。
【００８３】
また、弾性保持部がテーブル本体に設けられ、固定保持部がヨークに設けられるため、テーブル本体の構造が簡素化され、テーブル本体を形成するための金型の簡易化を図ることができる。
【００８４】
さらに、鉄系の焼結材料は樹脂材料と比較して線膨張係数が小さいため、高温となったときの膨張の影響が少なく、常温において、ディスクテーブルの回転中心から固定保持部の外端までの距離を長くしてセンターリング突部の外径を大きく形成することができ、ディスク状記録媒体のセンターリングの精度を向上させることができる。
【００８５】
また、本発明ディスクドライブ装置は、ディスク状記録媒体が装着されて回転されるディスクテーブルと、該ディスクテーブルとともにディスク状記録媒体を挟持してチャッキングするチャッキングプーリーと、チャッキングされたディスク状記録媒体の半径方向へ移動し該ディスク状記録媒体に対してレーザー光を照射する光学ピックアップと、ディスクテーブルを回転させる駆動モーターとを備えたディスクドライブ装置であって、上記駆動モータは、ローターケースと該ローターケースに固定されたマグネットとを有するローター部と、該ローター部のマグネットに対向して配置された複数のステーターコイルを有するステーター部と、ローター部と一体となって回転されるモーター軸とを備え、上記ディスクテーブルは、鉄系の焼結材料によって形成されモーター軸に固定されるヨークと、該ヨークが結合されると共に樹脂材料によって形成され中心に位置する円筒部と該円筒部から張り出されディスク状記録媒体が載置されるテーブル部とを有するテーブル本体とを備え、上記ヨークには周方向に離間して放射方向へ突出されると共にディスク状記録媒体の内周縁に接して該ディスク状記録媒体を保持する複数の固定保持部が設けられ、上記テーブル本体には周方向に離間して放射方向へ突出されヨークの固定保持部間にそれぞれ配置されると共にディスク状記録媒体の内周縁に弾接されて該ディスク状記録媒体を保持する複数の弾性保持部が設けられたことを特徴とする。
【００８６】
従って、成形の精度が向上する鉄系の焼結材料を用いることにより、ディスクドライブ装置に設けられるディスクテーブルの大幅な成形の精度の向上を図ることができ、ディスクテーブルに装着されたディスク状記録媒体の偏心及び回転中の面ぶれが防止され、情報信号の適正な記録や再生を行うことができる。
【００８７】
また、弾性保持部がテーブル本体に設けられ、固定保持部がヨークに設けられるため、テーブル本体の構造が簡素化され、テーブル本体を形成するための金型の簡易化を図ることができる。
【００８８】
さらに、鉄系の焼結材料は樹脂材料と比較して線膨張係数が小さいため、高温となったときの膨張の影響が少なく、常温において、ディスクテーブルの回転中心から固定保持部の外端までの距離を長くしてセンターリング突部の外径を大きく形成することができ、ディスク状記録媒体のセンターリングの精度を向上させることができる。
【図面の簡単な説明】
【図１】図２乃至図１２と共に本発明モーターユニット及びディスクドライブ装置の実施の形態を示すものであり、本図はディスクドライブ装置の概略斜視図である。
【図２】各機構が配置されたメカフレームとディスクトレーとを示す概略分解斜視図である。
【図３】カバー体を分離して内部構成を示すディスクドライブ装置の概略斜視図である。
【図４】ベースシャーシと光学ピックアップとモーターユニットとを示す拡大斜視図である。
【図５】モーターユニットの拡大縦断面図である。
【図６】ディスクテーブルの拡大平面図である。
【図７】テーブル本体の拡大平面図である。
【図８】テーブル本体の拡大縦断面図である。
【図９】ヨークの拡大平面図である。
【図１０】ヨークの拡大縦断面図である。
【図１１】ヨークにケース固定部が設けられたディスクテーブルにローターケースが取り付けられた状態を示す拡大縦断面図である。
【図１２】ヨークに吸着用マグネットが取り付けられたディスクテーブルにローターケースが取り付けられた状態を示す拡大縦断面図である。
【図１３】図１４と共に従来のディスクテーブルを示すものであり、本図は拡大縦断面図である。
【図１４】拡大平面図である。
【符号の説明】
１…ディスクドライブ装置、１１…チャッキングプーリー、１６…光学ピックアップ、２０…モーターユニット、２１…駆動モーター、２２…ディスクテーブル、２３…ステーター部、２４…ローター部、２５…モーター軸、２９…ステーターコイル、３６…ローターケース、３７…マグネット、３８…テーブル本体、３９…ヨーク、４０…円筒部、４２…弾性保持部、４５…固定保持部、４７…テーブル部、２２Ａ…ディスクテーブル、４９…ヨーク、５０…ローターケース、２２Ｂ…ディスクテーブル、５１…ヨーク、１００…ディスク状記録媒体
【図１】
0004207106.tif 000002
【図２】
0004207106.tif 000003
【図３】
0004207106.tif 000004
【図４】
0004207106.tif 000005
【図５】
0004207106.tif 000006
【図６】
0004207106.tif 000007
【図７】
0004207106.tif 000008
【図８】
0004207106.tif 000009
【図９】
0004207106.tif 000010
【図１０】
0004207106.tif 000011
【図１１】
0004207106.tif 000012
【図１２】
0004207106.tif 000013
【図１３】
0004207106.tif 000014
【図１４】
0004207106.tif 000015